(57)【要約】　　　（修正有）【課題】広範囲な傾斜角度電圧の安定検知と的確な反復再現電圧を得るため、電解液の地対水平変化が起きにくい凹半球形液室内蔵体により、的確な角度検出電圧を得ることを目的とし、凹半球形液室内臓絶縁体であるマルチレベル感知体の考案を特徴とする。【解決手段】本体液室を円柱体で頭部が半球状の凹弾頭型とし、弾頭頭部の先端を下向きに本体中低部に形成、上部絶縁電極板に閉塞固定した１本の中心電極と４本の外周電極を、凹弾頭頭部の半球内に適量封入した電解液に浸漬し電圧を与え、傾斜による電圧変化を凹半球内の電解液の移動による電極の浸漬割合で本体二軸傾斜時の電圧を検知する感知体で、凹半球内の電解液は球内移動のため本体傾斜による地対水平変化が起きず常に一定であるので、本体傾斜による電極の浸漬割合で電気的変化を検知し、一軸、二軸併用で広範囲な角度検出電圧と安定した復元電圧を得ることができる。【選択図】　図１
0003097719.tif 000002
【実用新案登録請求の範囲】
【請求項１】
本考案は主に絶縁物本体、絶縁パッキン、絶縁電極板で構成され、絶縁物本体は底面を水平基準面とし底面と並行な上部面を持つ絶縁体で、円柱、多角柱など中心軸を設定可能な絶縁物体の軸を中心に、円柱体で頭部が半球状で半球先端部が底部方向に垂直な中空弾頭型の液室を形成、凹弾頭頭部は内部が半球形状に面粗度が高く研磨された液室内蔵体でベークライト等の絶縁材料体で形成されていることが特徴のマルチレベル感知体である。
【請求項２】
本考案の絶縁電極板は、「請求項１」の弾頭型液室開口円中心を通る水平直交二軸線と所定半径の円の交点位置に、同径同長の直下する外周電極４本と、液室開口円中心部から外周４電極より長い１本の同径中心電極が、凹半球内壁に接触しない範囲で、外部底面に対して直角に５電極が並行に貫通し、密閉状態を保つように閉塞固定した本体上部と同形状のベークライト等の絶縁電極板で、「請求項１」の凹半球形液室には、電極板から直下する５電極が適量浸漬する量の電解液が封入され、電極は白金（Ｐｔ）等の金属材料を、電解液はヨウ化カリウム（ＫＩ）、硫酸マグネシウム（ＭｇＳＯ４）等を無水メタノールで溶解範囲内で混合したものを使用し、「請求項１」の液室内蔵絶縁体と絶縁電極板間に、密閉状態を保持する、電極板と同形状で本体上部凹円と同径の穴あき絶縁パッキンを介し、複数のネジで固定したことが特徴のマルチレベル感知体である。
【考案の詳細な説明】
【０００１】
【産業上の利用分野】
本考案は容器内に電解液を封入し、物体の傾斜を本体内電解液中の電極浸漬割合による電圧変化で感知するもので、角度計、勾配計、水準測定器、その他の水平検知、水平制御が必要な場所、物体において使用される。
【０００２】
【従来の技術】
従来の機種は本体傾斜時に、封入した電解液の移動変化を上部気泡で阻害し、阻害抵抗による液体移動変化を液中電極で検知するもので、一軸センサ、二軸センサ、共に上部気泡封入型で気泡移動部の曲率半径内の値検知しかできず、液体の移動範囲が限られ、広範囲な測定検知に適してなかった。
【０００３】
【考案が解決しようとする課題】
従来の機種は本体傾斜時に、封入した電解液の移動変化を上部気泡で阻害し、阻害抵抗による液体移動変化を液中電極で検知する上部気泡封入型で気泡移動部の曲率半径内の値検知しかできず、液体移動範囲が構造上限られ、測定範囲が狭く、一機種多様性に乏しかった。
【０００４】
【課題を解決するための手段】
本考案は本体液室を円柱体で頭部が半球状の凹弾頭型とし、弾頭頭部の先端を下向きに本体中低部に形成、「請求項２」の上部絶縁電極板に閉塞固定した１本の中心電極と４本の外周電極を、凹半球内に適量封入した電解液に浸漬させ、中心電極をマイナス極、中心を通る直交二軸線と所定半径円の交点位置にある外周４電極をプラス極として電圧を与え、傾斜による電圧変化を凹半球内の電解液の移動による電極の浸漬割合で、本体二軸傾斜時の電圧を検知する感知体で、凹半球内の電解液は半球内移動のため本体傾斜による地対水平変化が起きず常に一定であるので、本体傾斜による電極の浸漬割合で電気的変化を検知することができ、一軸、二軸併用で広範囲な測定電圧を得ることができる。
【０００５】
電解液室は凹弾頭型で電解液移動部分が凹半球形であるため、球内の電解液移動の反復再現が的確で、広範囲な角度検出電圧と安定した復元電圧を得ることができる。
【０００６】
【考案の実施の形態】
本考案のマルチレベル感知体は、外部底面を水平基準面とし、底部と平行な上部面内の任意の円中心部を全ての中心軸とした絶縁体で形成されたマルチレベル感知体で、５本の電極が貫通閉塞固定された絶縁電極板を、中心電極が液室内蔵体の上部円中心部に合致するように垂下密閉固定された感知体である。
【０００７】
また弾頭型の頭部が凹半球状に本体内部に形成され、半球液室を面粗度を高く、電解液の移動を阻害しないよう研磨し、凹半球中に電解液を電極に浸漬するよう適量封入した感知体で、中心電極をマイナス極とし所定半径内４電極をプラス極として電圧を与え、中心電極を通る対角電極間の電圧の変化を、電極の浸漬割合で感知するマルチレベル感知体である。
【０００８】
【実施例】
【０００９】
本考案のマルチレベル感知体は、外部底面を水平基準面とし、上部の任意の円中心部を全ての中心軸とした絶縁体で形成された感知体で、５本の電極が貫通閉塞固定された絶縁電極板を、中心電極が液室内蔵体の上部開口円中心部に合致するように垂下密閉固定された感知体である。
【００１０】
図１は本考案のマルチレベル感知体及びその透視図、図２は本考案の絶縁電極板上面図、図３は本考案の液室内蔵絶縁体上面図、図４はマルチレベル感知体の分解断面図で、図５、６はマルチレベル感知体に一軸傾斜負荷を与えた時の内部断面図である。
【００１１】
図５は傾斜角０度、図６は傾斜角２０度を与えた時の、内部電極の電解液に浸漬する形態を、液室内を見やすくするため電極と電解液をのぞいて空白にした図で、中心電極をマイナス極とし、所定半径内４電極をプラス極として電圧を与え、中心電極を通る対角電極間二軸方向の変動電圧を、電極の浸漬割合で検知するマルチレベル感知体である。
【００１２】
凹半球形内の電解液は、本体傾斜による地対水平変化が起きないため、図９、１０のグラフのような安定電圧の推移がみられ、検知に適した構造のマルチレベル感知体である。
【００１３】
【考案の効果】
上記の本考案に係るマルチレベル感知体は、凹弾頭型で弾頭頭部が半球形液室であるため、広範囲な安定検知ができ、使用目的別に電解液を替えることにより、水準測定、角度測定、勾配測定その他の水平検知、水平制御等が必要な場所や物体に使用され、公知の変換機器による表示が容易で、使用部品も少量で低コストなマルチレベル感知体である。
【図面の簡単な説明】
図はすべて拡大図である。
【図１】本考案マルチレベル感知体側面および透視図である。
【図２】本考案の絶縁電極板上面図である。
【図３】本考案の液室内蔵絶縁体上面図である。
【図４】マルチレベル感知体の分解断面図である。
【図５】マルチレベル感知体の傾斜角０度の内部断面図である。
【図６】マルチレベル傾斜角２０度の内部断面図である。
【図７】
【図８】マルチレベル感知体に一軸傾斜を与えた時の電圧変化を表したグラフである。
【符号の説明】
１　　ネジ
２　　電極閉塞固定部
３　　絶縁電極板
４　　プリント配線部
５　　ネジ孔
６　　凹型液室部
７　　液室内蔵絶縁体
８　　絶縁パッキン
９　　マイナス白金電極
１０　プラス白金電極
１１　電解液
【図１】
0003097719.tif 000003
【図２】
0003097719.tif 000004
【図３】
0003097719.tif 000005
【図４】
0003097719.tif 000006
【図５】
0003097719.tif 000007
【図６】
0003097719.tif 000008
【図７】
0003097719.tif 000009
【図８】
0003097719.tif 000010